(57)【特許請求の範囲】
【請求項１】
シートを搬送するシート搬送手段と、
前記シート搬送手段により搬送されるシートの種類を判別するシート判別手段と、
前記シート判別手段よりもシート搬送方向下流側に配置され、前記シート搬送手段により搬送される前記シートを光検知方式で検知するシート検知手段と、
前記シート判別手段のシート判別情報に基づき前記シート検知手段のシート検知条件を変化させる制御部とを有し、
前記シート判別手段により前記シート搬送手段により搬送されるシートがＯＨＰシートであると判別した場合には、前記制御部により前記シート検知手段の検知光量を増大させるように構成したことを特徴とするシート搬送装置。
【請求項２】
請求項１に記載のシート搬送装置と、
前記シート搬送装置により搬送されたシートに対して画像情報に応じて画像を形成する画像形成手段と、
を有することを特徴とする画像形成装置。
【発明の詳細な説明】
【０００１】
【発明の属する技術分野】
本発明は、電子写真方式等を用いたプリンタやファクシミリ複写機等の画像形成装置に適用されるシート搬送手段に関するものである。
【０００２】
【従来の技術】
従来の画像形成装置の一例を図７〜図９を用いて説明する。図７に示す画像形成装置は、大きく分けて上部に設けられた画像入力部101と画像出力部102とからなる。画像入力部101はシートＰに画像を記録するための画像情報を入力し、各種処理を施した後に画像出力部102へその画像信号を送るための装置である。
【０００３】
また、画像出力部102は前記画像信号に応じて記録画像を形成するための感光体等を有する画像形成部103、シートＰを積載して一枚ずつ送り出すための複数の給送ユニット104a，104b、該給送ユニット104a，104bから送り出されたシートＰをレジストローラ対105まで搬送するためのレジ前搬送ローラ対106を含むレジ前搬送部107、レジストローラ対105から送り出されたシートＰを吸着部108の作用によりその表面に保持しながら画像形成部103まで搬送し、画像をシートＰ上に転写するための転写ドラム109、シートＰ上に記録された画像を定着するための定着ユニット110及びこれ等の装置内の全動作を制御するための制御ユニット111等から構成される。
【０００４】
シートＰとしては、不透明な普通紙や透明なＯＨＰシート等が適宜使用される。
【０００５】
次に記録動作を説明する。装置動作が開始されると、先ず、給送ユニット104a，104b或いは手差し給送部104cの何れかからシートＰが一枚給送され、その後、レジ前搬送ローラ対106によりレジストローラ対105まで送られる。
【０００６】
この時、前記レジストローラ対105は停止しており、シートＰの先端が該レジストローラ対105に突き当たった後、僅かな時間だけレジ前搬送ローラ対106はシートＰの搬送を継続する。これによりシートＰが所定のループを形成した後、レジ前搬送ローラ対106は停止する。
【０００７】
シートＰがレジストローラ対105に突き当たったか否かはレジ前センサ112を通過するシートＰの通過タイミングを基に算出する。その後、画像記録開始信号に同期してレジストローラ対105及びレジ前搬送ローラ対106が回転し、シートＰを転写ドラム109上へ送り出す。この動作により、シートＰ上の所定の位置に画像を形成することが出来る。
【０００８】
一方、画像入力部101は前記画像記録開始信号を基準にして動作を開始し、画像情報を順次入力して記録用の画像信号に変換しながら画像形成部103に出力する。そして、画像形成部103では、その信号に対応して潜像形成、現像等といったプロセスで感光体上にトナー画像を形成する。
【０００９】
シートＰは吸着ローラ113等、吸着部108の作用により転写ドラム109上に保持されながら画像転写領域Ｔまで搬送され、画像形成部103によって形成されたトナー画像がその表面に転写記録される。
【００１０】
ここで、シートＰの転写ドラム109上への保持方法は主に薄い誘電フィルム等からなるシートＰの静電吸着が考えられる。シートＰ上への画像記録がなされると、転写ドラム109はシートＰの先端を分離しながら定着ユニット110近傍まで搬送し、更に搬送ベルト等によりシートＰを定着ユニット110に送り込む。そして、定着ユニット110による加熱、加圧作用によりシートＰ上にトナー画像が定着され、その後、シートＰは排出部を経て機外に排出される。
【００１１】
上記画像形成装置に使用されるシートＰが透明なＯＨＰシートである場合には、図８（ａ），（ｂ）に示すように、シートＰの端部所定位置に該シートＰの先端位置を検知すると共に該シートＰの表裏面を判別するためのマークＭが設けられている。マークＭの幅はシートＰの余白部にのみ細く付けられており、図８（ａ）に示すようにシートＰのマークＭがレジ前センサ112に対応する位置で該シートＰが搬送される時、レジ前センサ112の検知信号は図８（ｃ）のＢに示すように極短時間のパルス幅でオンとなった後再びオフに遷移することでシートＰが透明なＯＨＰシートであることが検知される。
【００１２】
また、シートＰが不透明の普通紙の場合にはシートＰがレジストローラ対105に突き当たっている間もレジ前センサ112の光を遮断し続けているため、レジ前センサ112の検知信号は図８（ｃ）のＡに示すようにオフからオン状態に遷移して保持されることでシートＰが不透明の普通紙であることが検知される。
【００１３】
特に、画像形成装置がフルカラーレーザビームプリンタ等で構成される場合には、シートＰの種類の違い（例えば、シートＰが普通紙であるかＯＨＰシートであるか）を例えば定着速度等の画像形成条件に反映させて夫々最適な画像形成を行っている。
【００１４】
また、ＯＨＰシートの表裏面を逆にセットした場合、図８（ｂ）に示すように、レジ前センサ112とマークＭとの位置がずれてマークＭがレジ前センサ112により検知されないため、図８（ｃ）のＣに示すようにシートＰの先端の検知が不可能となってジャムする虞があるため、この場合は装置の動作を停止させることによりＯＨＰシートの裏返しセットによるトラブルを防止している。
【００１５】
また、近年コピー速度、特に１枚目のプリントアウト時間の短縮がより望まれており、少しでも速くシートＰを画像形成部103に送り込むことを目的としてレジ前搬送部107等での送り速度を増す構成になっている。
【００１６】
例えば、画像出力部102でレジストローラ対105よりも下流側の搬送路では１５０[mm/s]の速度でシートＰの画像形成出力を行う場合、給送ユニット104a，104b、手差し給送部104cからレジストローラ対105に至るまでの搬送路では前記速度の３倍の４５０[mm/s]の速度でシートＰの搬送を行うように構成される。
【００１７】
また、この時、レジスト部の変速時にシートＰが跨がるレジ前搬送ローラ対106及び搬送ローラ対115は変速機構を有しており、その都度、シートＰの搬送速度を切り換えている。
【００１８】
【発明が解決しようとする課題】
しかしながら、前述の従来例では、シートＰの増速に伴いレジ前センサ112によるマークＭの検知時間が短くなるため、該マークＭの検知不良を引き起こすという問題があった。
【００１９】
即ち、ＯＨＰシートが１５０[mm/s]の速度でレジ前センサ112を通過する際の検知信号は図９のＢに示すように比較的大きいパルス幅でオンとなるが、ＯＨＰシートが４５０[mm/s]の速度でレジ前センサ112を通過する際の検知信号は図９のＤに示すように比較的小さいパルス幅でオンとなる。
【００２０】
そして、レジ前センサ112の検知光量が十分でなかった場合には図９のＥに示すように検知信号がノイズ状の信号となって検知不能となり、シートＰがジャムする虞がある。
【００２１】
そこで、レジ前センサ112の感度を向上させるために該レジ前センサ112の検知光量を大きく設定した場合にはレジ前センサ112の寿命が短くなるという問題がある。
【００２２】
本発明は前記課題を解決するものであり、その目的とするところは、異なる複数の種類のシートを判別して夫々の種類のシートに対応する条件で搬送することが出来、特に透明なＯＨＰシートの検知を安定して行うことが出来るシート搬送装置及びこれを備えた画像形成装置を提供せんとするものである。
【００２３】
【課題を解決するための手段】
前記目的を達成するための本発明に係る代表的な構成は、シートを搬送するシート搬送手段と、前記シート搬送手段により搬送されるシートの種類を判別するシート判別手段と、前記シート判別手段よりもシート搬送方向下流側に配置され、前記シート搬送手段により搬送される前記シートを光検知方式で検知するシート検知手段と、前記シート判別手段のシート判別情報に基づき前記シート検知手段のシート検知条件を変化させる制御部とを有し、  前記シート判別手段により前記シート搬送手段により搬送されるシートがＯＨＰシートであると判別した場合には、前記制御部により前記シート検知手段の検知光量を増大させるように構成したことを特徴とするシート搬送装置である。
【００２４】
本発明は、上述の如く構成したので、高速でＯＨＰシートを搬送した場合でもＯＨＰシートの先端部に設けたマークの誤検知を防止することが出来る。
【００２５】
【発明の実施の形態】
図により本発明に係るシート搬送装置及びこれを備えた画像形成装置の一例として電子写真方式のフルカラー複写機に適用した場合の一実施形態を具体的に説明する。尚、ここではまず参考例としてＯＨＰシート検知センサの検知情報によりシートがＯＨＰシートであると判断した場合にシート検知条件としてシートの搬送速度を減速してレジ前センサによるマークの検知の安定性を高めるようにする構成について説明し、その後で本発明の実施形態としてシート検知条件としてレジ前センサの検知光量を増大することでレジ前センサによるマークの検知の安定性を高める構成について説明する。
図１は本発明の参考例に係る画像形成装置の全体構成を示す断面説明図、図２は本発明の参考例に係るシート搬送装置の要部の構成を示す断面説明図、図３はシート判別手段により不透明な普通紙と透明なＯＨＰシートとの判別を行う際の検知信号を示す図、図４は本発明の参考例に係るシート搬送装置の制御系の構成を示すブロック図、図５は本発明の参考例に係るシート搬送装置においてシートの種類を判別して搬送する様子を示すフローチャートである。
【００２６】
先ず、図１を用いて参考例に係るシート搬送装置を備えた画像形成装置の全体構成について説明する。図１に示す画像形成装置は電子写真方式のフルカラー複写機であり、その上部にデジタルカラー画像リーダ部が配置され、下部にデジタルカラー画像プリンタ部が配置されている。
【００２７】
上部のデジタルカラー画像リーダ部では、紙や合成樹脂等で構成される原稿30の原稿面を下向きにして原稿台ガラス31上に載置し、露光ランプ32により露光走査する。そして、原稿30の原稿面に反射した反射光像をミラーを介してレンズ33によりフルカラーセンサ34に集光させ、カラー色分解画像信号を得る。この信号は図示しない増幅回路を経て図示しないビデオ処理ユニットにおいて各種処理を施された後、下部に配置されたデジタルカラー画像プリンタ部に送出される。
【００２８】
デジタルカラー画像プリンタ部では、画像形成手段となる画像担持体としての電子写真感光体ドラム１がその中心で軸支され、図示しないモータにより図１の矢印ａ方向に回転駆動される。感光体ドラム１の外周面に対向してその回転方向に沿って前露光ランプ11、一次帯電体２、レーザ等による露光光学系３、電位センサ12、現像装置４、ドラム上光量検知手段13、シート担持体としての転写ドラム５、クリーニング装置６が順次配置されている。
【００２９】
前露光ランプ11及び一次帯電体２において感光体ドラム１の表面に均一な帯電量の電荷を与える。次いで露光光学系３により記録画像信号に応じて変調された例えばレーザビーム等の光線18をポリゴンミラー3A、レンズ3B等を介して感光体ドラム１上に露光させることによって、そこに静電潜像を形成する。
【００３０】
更に現像装置４により上記静電潜像を顕像化する。現像装置４は、イエロー、シアン、マゼンダ、ブラックの４色の現像剤（トナー）を夫々収容した４個の現像装置4Y，4C，4M，4BKを並設し、これ等が偏芯カム24Y，24C，24M，24BKの動作により感光体ドラム１に対して択一的に近接するように移動可能に構成されている。
【００３１】
感光体ドラム１と転写ドラム５とのニップ部で構成される画像転写領域の下流側では、クリーニング装置６によりシートＰに転写されずに感光体ドラム１上に残されたトナーを掻き落として感光体ドラム１表面の清掃を行う。上記のプロセスによりトナーによる画像形成が行われる。
【００３２】
上記画像形成手段の下部には３段（上段、中段、下段）のカセット給送装置と、１つの手差し給送装置を有している。ここでは、これ等のうち、中段のカセット給送装置からシートＰを給送する場合について説明する。
【００３３】
給送ユニット40は、紙や合成樹脂等で構成される各種のシートＰを適宜収容するカセット41からシートＰを一枚ずつ送り出すためのピックアップローラ42と、該ピックアップローラ42により送り出されたシートＰを転写搬送ユニット50まで搬送するための給送ローラ43A，43B、搬送ローラ対45A，45B，45C及びシートガイド等を有するシート搬送手段として構成される。
【００３４】
手差し給送装置は、手差しトレイ41T、給送ローラ42M及び図示しない分離パッド等を有して構成される。本参考例では、少なくともシートＰとして不透明な普通紙と透明なＯＨＰシートが使用可能になっている。
【００３５】
転写搬送ユニット50は、搬送部50Aと転写ドラム５とに大別される。搬送部50Aは図２に示すように、給送ユニット40から受け継いでシートＰを案内するためのガイド48A，48B，48C，48D，48Eと、搬送ローラ46A，46B，46Cと、レジ前搬送ローラ47A，47Bと、画像形成部の画像形成タイミングに合わせてシートＰを転写ドラム５へ送り出すためのレジストローラ対44及びその際にシートＰを導く案内手段としての吸着ガイド48F，48Gを有するシート搬送手段として構成される。
【００３６】
前記搬送ローラ46A，46B，46Cはカール付け機能を有する。ガイド48B，48DはシートＰの進行方向を変えるために湾曲形状Ｒに形成され、且つ図２の矢印ｂ方向に揺動可能に支持されており、これにより、レジストローラ対44でシートＰの先端を一旦停止させた時に生じるシートＰのループ空間を確保するようになっている。
【００３７】
レジストローラ対44から送られるシートＰが転写ドラム５に突入する位置に吸着ローラ5Gが転写ドラム５に対して接離可能に支持され、また吸着ローラ5Gの転写シート5Fを挟んで反対側に吸着ローラ5Gの押し付け力に対抗するためのバックアップ部材及び吸着用帯電器5Cが配置されている。
【００３８】
感光体ドラム１と転写ドラム５とが対向する画像転写領域には、転写シート5Fの裏側に転写用帯電器5Bが配置されている。その下流側においてシートＰを分離するための分離部材、具体的には除電用帯電器5H、分離爪8A、転写シート押し上げコロ8B等が配設され、それに続いて転写シート除電用帯電器5D，5Eが転写シート5Fを挟んで配置されている。
【００３９】
更にその下流側には、転写シート5FのシートＰ保持面に付着したトナーや紙粉等をクリーニングするためのブラシローラ14及びコロナ放電器或いはブラシ式除電器15が設けられ、更に下流側には定着ユニット９で使われるオイルが両面記録時にシートＰを通じて転写シート5Fの表面に付いた場合にクリーニングするためのオイル除去ローラ16及びバックアップブラシ17が設けられている。
【００４０】
定着ユニット９は、内部にハロゲンヒータ等の熱源を備えた定着ローラ9Aと該定着ローラ9Aに圧接される加圧ローラ9B（該加圧ローラ9Bにも熱源を備える場合もある）及び前記ローラ対9A，9Bのニップ部へシートＰを導くための搬送ベルト9Cと、入口ガイド9D、更には前記ローラ対9A，9Bにより搬送されたシートＰを機外に排出するための排出ローラ対9E等を有して構成される。
【００４１】
次に上記構成においてシートＰの搬送動作について中段カセット41から供給される場合の一例を図１〜図５を参照して説明する。ピックアップローラ42によりカセット41から最上位のシートＰが繰り出され、給送ローラ43A，43Bにより一枚ずつ分離，給送された後、搬送ローラ対45B，45C、搬送ローラ46A，46B，46C、レジ前搬送ローラ47A，47Bにより停止したレジストローラ対44にシートＰの先端が当接するまで搬送される。
【００４２】
この搬送経路におけるシートＰの搬送速度はシートＰがいち早くレジストローラ対44に到達するように４５０[mm/s]に設定されている（図５のステップＳ１）。
【００４３】
図２においてシートＰがシート判別手段となるＯＨＰシート検知センサ49A，49Bを通過する際にシートＰの種類の判別を行う。センサ49Aは軸49D1を中心にシート搬送方向に回動可能で、その先端がシート搬送パス上に突出したレバー49Dの姿勢位置を検知するセンサであり、センサ49Bはシート搬送パス上を光が透過するか否かを検知するセンサである。
【００４４】
図３にＯＨＰシート検知センサ49A，49Bにより検知される不透明な普通紙と透明なＯＨＰシートとの夫々の検知信号の模式図を示す。図３の上段に示す検知信号は普通紙の場合であり、図３の下段に示す検知信号はＯＨＰシートの場合である。
【００４５】
また、ＯＨＰシートの場合、図８（ａ），（ｂ）に示す前述の従来例と同様に、シートＰの先端部にマークＭが付けられている。シートＰが不透明な普通紙の場合、図３の上段に示すように、普通紙の通過中はＯＨＰシート検知センサ49A，49Bの両方の検知信号がオフからオンに遷移して予め設定されたＯＨＰシート判別時間ｔの領域ではオン状態に保持されるため、図４に示す制御部７はシートＰが普通紙であると認識する（図５のステップＳ２〜Ｓ４）。
【００４６】
また、シートＰが透明なＯＨＰシートの場合、図３の下段に示すように、ＯＨＰシートの通過中はセンサ49Aの検知信号は、普通紙の時と同様にオフからオンに遷移して予め設定されたＯＨＰシート判別時間ｔの領域ではオン状態に保持されるが（図５のステップＳ２）、透明なＯＨＰシートはセンサ49Bの検知光を透過させるため、該センサ49Bの検知信号はシートＰの先端部に設けたマークＭがセンサ49Bに対向する位置を通過する際にのみオフからオンに遷移するがマークＭがセンサ49Bを通過した後は再びオフ状態に遷移して前記ＯＨＰシート判別時間ｔの領域ではオフ状態に保持されるため、図４に示す制御部７はシートＰがＯＨＰシートであると認識する（図５のステップＳ３、Ｓ９）。
【００４７】
この判別方法によれば、ＯＨＰシートの先端部に設けたマークＭ以外の略シートＰの搬送方向長さ部分を使用して判別するため十分なＯＨＰシート判別時間ｔが確保でき、シートＰを高速短時間で搬送しても安定して確実な判別が可能である。
【００４８】
ここでＯＨＰシート検知センサ49A，49Bの検知情報によりシートＰが普通紙であると認識された場合、シートＰはそのまま４５０[mm/s]の速度でレジストローラ対44まで搬送され（図５のステップＳ５）、シート検知手段となる光検知方式で構成されたレジ前センサ49CによりシートＰの先端が検知された検知信号に基づいて（図５のステップＳ６）停止したレジストローラ対44のニップ部にシートＰの先端を付き当てた状態でレジ前搬送ローラ47A，47Bにより更にシートＰを搬送してループを形成して斜行を補正した後（図５のステップＳ７）、レジストローラ対44により挟持されて１５０[mm/s]の搬送速度で搬送されて画像形成部に送り込まれ、普通紙モードで画像が形成される（図５のステップＳ８）。
【００４９】
シートＰが不透明な普通紙である場合には、レジ前センサ49Cに普通紙の先端が到達した後、該レジ前センサ49Cの光路を遮断し続けるので、レジ前センサ49Cの直前まで４５０[mm/s]の速度で搬送してもレジ前センサ49Cが誤検知する虞がない。
【００５０】
次にＯＨＰシート検知センサ49A，49Bの検知情報によりシートＰがＯＨＰシートであると認識された場合（図５のステップＳ９）、シートＰの先端がレジ前搬送ローラ47A，47Bのニップ部を通過した後で、且つレジ前センサ49Cに到達する前の所定位置で搬送速度を１５０[mm/s]に減速する（図５のステップＳ10）。
【００５１】
尚、その減速方法は、搬送ローラ対45A，45B，45C、搬送ローラ46A，46B，46C、レジ前搬送ローラ47A，47Bを回転駆動する図示しないモータの回転数を変更したり、駆動系の切り換え（駆動力を伝達するギア列のギア比の切り換え等）等の種々の方法で行うことが出来る。
【００５２】
上記構成によれば、レジ前センサ49Cに進入した際のシートＰの搬送速度は低速度に維持され安定してＯＨＰシートの先端検知を行うことが可能となる。即ち、各シートＰの検知信号は前述した従来例の図８のＡ〜Ｃに示す状態となる。尚、図８のＡは普通紙正常状態、ＢはＯＨＰシート正常状態、ＣはＯＨＰシートの裏返し等のセット不良状態を示す。
【００５３】
そして、図５のステップＳ11でレジ前センサ49CがシートＰの先端部に設けたマークＭを検知したか否かを判断し、マークＭを検知した場合には、図５のステップＳ12、Ｓ13においてループを形成して斜行を補正し、ＯＨＰシートモードで画像が形成される。
【００５４】
また、前記ステップＳ11において、シートＰの先端部に設けたマークＭがレジ前センサ49Cにより検知されなかった場合には、ＯＨＰシートが裏返しに誤セットされかレジ前センサ49Cの上流側でジャムが発生したと認識し装置を停止させてジャム処理モードに遷移する。
【００５５】
次に本発明に係るシート搬送装置を備えた画像形成装置の実施形態について図６を用いて説明する。図６は本発明に係るシート搬送装置の実施形態においてシートの種類を判別して搬送する様子を示すフローチャートである。尚、前記参考例と同様に構成したものは同一の符号を付して説明を省略する。
【００５６】
前記参考例では、ＯＨＰシート検知センサ49A，49Bの検知情報によりシートＰがＯＨＰシートであると判断した場合にシート検知条件としてシートＰの搬送速度を減速してレジ前センサ49CによるマークＭの検知の安定性を高めるように構成したが、本実施形態では、シート検知条件としてレジ前センサ49Cの検知光量を増大することでレジ前センサ49CによるマークＭの検知の安定性を高めるものである。
【００５７】
即ち、図６のステップＳ21〜Ｓ23において、前述の参考例と同様にシートＰを４５０[mm/s]の搬送速度で搬送してＯＨＰシート検知センサ49A，49Bの検知情報によりシートＰが普通紙であると判定した時（図６のステップＳ24）、図６のステップＳ25〜Ｓ27で、普通紙をそのままの４５０[mm/s]の搬送速度でレジストローラ対44まで搬送し、斜行補正を行って普通紙モードで画像形成を実施する。
【００５８】
一方、ＯＨＰシート検知センサ49A，49Bの検知情報によりシートＰがＯＨＰシートであると判定した時（図６のステップＳ28）、図４に示す制御部７によりレジ前センサ49Cの検知光量を２倍に増大してレジ前センサ49CによるマークＭの検知を確実にし、ＯＨＰシートも同じくそのままの４５０[mm/s]の搬送速度でレジストローラ対44まで搬送し、斜行補正を行ってＯＨＰシートモードで画像形成を実施する（図６のステップＳ30〜Ｓ32）。
【００５９】
また、前記図６のステップＳ30において、シートＰの先端部に設けたマークＭがレジ前センサ49Cにより検知されなかった場合には、前述と同様にＯＨＰシートが裏返しに誤セットされかレジ前センサ49Cの上流側でジャムが発生したと認識し装置を停止させてジャム処理モードに遷移する。
【００６０】
上記構成により、ＯＨＰシート検知センサ49A，49BによりシートＰがＯＨＰシートであると認識した時のみレジ前センサ49Cの検知光量を通常よりも増大し、普通紙であると認識した時は通常の検知光量のままに設定することでＯＨＰシートの先端部に設けたマークＭの検知の信頼性を向上すると共に、レジ前センサ49Cの検知光量が増大した時間は僅かな時間であるため、レジ前センサ49Cの寿命を長く維持することが出来、経済的である。
【００６１】
また、本実施形態ではＯＨＰシートの場合でも搬送速度を減速しないのでＯＨＰシートの場合の生産性の低下を防止することが出来る。
【００６２】
【発明の効果】
以上説明したように、本発明によれば、シート搬送方向上流側のシート判別手段でシートが透明なＯＨＰシートであると判別した場合、光検知方式のシート検知手段の検知光量を増大させるので、高速でＯＨＰシートを搬送した場合でもＯＨＰシートの先端部に設けたマークの誤検知を防止することが出来る。
【図面の簡単な説明】
【図１】本発明の参考例に係る画像形成装置の全体構成を示す断面説明図である。
【図２】本発明の参考例に係るシート搬送装置の要部の構成を示す断面説明図である。
【図３】シート判別手段により不透明な普通紙と透明なＯＨＰシートとの判別を行う際の検知信号を示す図である。
【図４】本発明の参考例に係るシート搬送装置の制御系の構成を示すブロック図である。
【図５】本発明の参考例に係るシート搬送装置においてシートの種類を判別して搬送する様子を示すフローチャートである。
【図６】本発明に係るシート搬送装置においてシートの種類を判別して搬送する様子を示すフローチャートである。
【図７】従来例を説明する図である。
【図８】従来例を説明する図である。
【図９】従来例を説明する図である。
【符号の説明】
１…感光体ドラム、２…一次帯電体、３…露光光学系、3A…ポリゴンミラー、3B…レンズ、４，4Y，4C，4M，4BK…現像装置、５…転写ドラム、5B…転写用帯電器、5C…吸着用帯電器、5D，5E…転写シート除電用帯電器、5F…転写シート、5G…吸着ローラ、5H…除電用帯電器、６…クリーニング装置、７…制御部、8A…分離爪、8B…転写シート押し上げコロ、９…定着ユニット、9A…定着ローラ、9B…加圧ローラ、9C…搬送ベルト、9D…入口ガイド、9E…排出ローラ対、11…前露光ランプ、12…電位センサ、13…ドラム上光量検知手段、14…ブラシローラ、15…ブラシ式除電器、16…オイル除去ローラ、17…バックアップブラシ、18…光線、24Y，24C，24M，24BK…偏芯カム、30…原稿、31…原稿台ガラス、32…露光ランプ、33…レンズ、34…フルカラーセンサ、40…給送ユニット、41…カセット、41T…手差しトレイ、42…ピックアップローラ、42M…給送ローラ、43A，43B…給送ローラ、44…レジストローラ対、45A，45B，45C…搬送ローラ対、46A，46B，46C…搬送ローラ、47A，47B…レジ前搬送ローラ、48A，48B，48C，48D，48E…ガイド、48F，48G…吸着ガイド、49A，49B…ＯＨＰシート検知センサ、49C…レジ前センサ、50…転写搬送ユニット、50A…搬送部、Ｍ…マーク、Ｐ…シート
【図１】
0003548365.tif 000002
【図２】
0003548365.tif 000003
【図３】
0003548365.tif 000004
【図４】
0003548365.tif 000005
【図５】
0003548365.tif 000006
【図６】
0003548365.tif 000007
【図７】
0003548365.tif 000008
【図８】
0003548365.tif 000009
【図９】
0003548365.tif 000010